(57)【要約】【課題】  衛生的で、処理作業が容易で、真っ暗闇の中でも正確な場所に排泄することができ、室内犬などの大きさに対応してそのサイズを自在に調整することのできる糞尿処理具を提供する。【解決手段】  矩形状である底壁１１の前端部に前壁１２を立設すると共に、両側端部に側壁１３を立設した外受具１０と、同じく矩形状である底板２１の後端部に後板２２を立設すると共に、両側端部に側板２３を立設した内受具２０とを設け、外受具１０と内受具２０を重合して前後方向に伸縮自在に組付けて略長方形伸縮皿状の受具本体１を形成する。底壁１１または底板２１に、その末端部をストッパー部２５として残して前後方向の案内溝２４を形成し、底板２１または底壁１１に、案内溝２４に侵入位置する突起１４を設ける。受具本体１の底面に、防水シート２ｂの上面に液体吸収シート２ａを固着した吸液シート２を敷設してある。【選択図】      図１
0003116220.tif 000002
【実用新案登録請求の範囲】
【請求項１】
矩形状である底壁（１１）の前端部に前壁（１２）を立設すると共に，両側端部に側壁（１３）を立設した外受具（１０）と、同じく矩形状である底板（２１）の後端部に後板（２２）を立設すると共に，両側端部に側板（２３）を立設した内受具（２０）とを設け、前記外受具と内受具を重合して前後方向に伸縮自在に組付けて略長方形伸縮皿状の受具本体（１）を形成し、前記底壁または底板に，その末端部をストッパー部（２５）として残して前後方向の案内溝（２４）を形成し、前記底板または底壁に，前記案内溝に侵入位置する突起（１４）を設け、前記受具本体の底面に，防水シート（２ｂ）の上面に液体吸収シート（２ａ）を固着した吸液シート（２）を敷設してなる犬猫ペットの糞尿処理具。
【請求項２】
矩形状である底壁（１１）の前端部に前壁（１２）を立設すると共に，両側端部に側壁（１３）を立設した外受具（１０）と、同じく矩形状である底板（２１）の後端部に後板（２２）を立設すると共に，両側端部に側板（２３）を立設した内受具（２０）とを設け、前記外受具と内受具を重合して前後方向に伸縮自在に組付けて略長方形伸縮皿状の透光性受具本体（１）を形成し、前記底壁または底板に，その末端部をストッパー部（２５）として残して前後方向の案内溝（２４）を形成し、前記底板または底壁に，前記案内溝に侵入位置する突起（１４）を設け、前記前壁，側壁，後板および側板を外方に広がる傾斜面とし，前記前壁，側壁，後板および側板の任意の面に蓄光物質で形成した蓄光体（１２ｃ，１３ｃ，２２ｃ）を内蔵配置し、前記受具本体の底面に，防水シート（２ｂ）の上面に液体吸収シート（２ａ）を固着した吸液シート（２）を敷設してなる犬猫ペットの糞尿処理具。
【請求項３】
前壁（１２）と後板（２２）に、該前壁と後板の外方に延びる取手（Ｈ）を設けてなる請求項１または２に記載の犬猫ペットの糞尿処理具。
【請求項４】
少なくとも、側壁（１３）と側板（２３）の下端部に、吸液シート（２）の側端部が侵入位置する保持溝（Ｇ）を形成してなる請求項１、２または３に記載の犬猫ペットの糞尿処理具。
【考案の詳細な説明】
【技術分野】
【０００１】
本考案は、主として、室内に設置して、ペットであるあらゆる大きさの室内犬や猫の糞尿を、衛生的かつ容易に処理するための処理具に関するものである。
【背景技術】
【０００２】
マルチーズやプードルなどの主として室内で飼育される各種の室内犬や猫は、一般に、夜、室内で運動し、早朝に排泄する。また、室内犬などは、子犬のときに躾をすることによって、同一場所で排泄をするようになる。
【０００３】
こうしたことから、通常、室内犬や猫の排泄場所を、所定の床上に防水シート２ｂを敷き、その上に新聞紙を置いて設けている場合が多い。この上に排泄された尿は、新聞紙で吸収させ、便は、当該新聞紙でくるんで捨てて処理している。
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒である。また、夜中などにおいて、排泄場所が真っ暗闇の場合は、室内犬が誤って新聞紙の周囲に糞尿をする場合もある。
【０００５】
こうした犬や猫の糞尿を処理する道具としては、これまでに携帯用のトイレが創案されている（例えば、特許文献１参照）。従って、これを室内に設置して使用することも可能ではある。
【特許文献１】実開平７−３４６５２号公報
【考案の開示】
【考案が解決しようとする課題】
【０００６】
しかし、この携帯用トイレは、その大きさが不変であるため、例えば、子犬のときは使用し易い大きさであったが、成犬になるにつれて大きさが不足してしまい、床などに漏れてしまう等の大きな問題がある。
【０００７】
本考案はこうした問題に鑑み創案されたもので、衛生的で、処理作業が容易で、真っ暗闇の中でも正確な場所に排泄することができ、さらに、室内犬や猫の大きさに対応してそのサイズを自在に調整することのできる糞尿処理具を提供することを課題とする。
【課題を解決するための手段】
【０００８】
図１乃至図５を参照して説明する。請求項１に記載の犬猫ペットの糞尿処理具は、矩形状である底壁１１の前端部に前壁１２を立設すると共に、両側端部に側壁１３を立設した外受具１０と、同じく矩形状である底板２１の後端部に後板２２を立設すると共に、両側端部に側板２３を立設した内受具２０とを設け、前記外受具１０と内受具２０を重合して前後方向に伸縮自在に組付けて略長方形伸縮皿状の受具本体１を形成してある。
【０００９】
また、前記底壁１１または底板２１に、その末端部をストッパー部２５として残して前後方向の案内溝２４を形成し、前記底板２１または底壁１１に、前記案内溝２４に侵入位置する突起１４を設ける。さらに、前記受具本体１の底面に、防水シート２ｂの上面に液体吸収シート２ａを固着した吸液シート２を敷設してある。
【００１０】
請求項２に記載の犬猫ペットの糞尿処理具は、矩形状である底壁１１の前端部に前壁１２を立設すると共に、両側端部に側壁１３を立設した外受具１０と、同じく矩形状である底板２１の後端部に後板２２を立設すると共に、両側端部に側板２３を立設した内受具２０とで構成し、前記外受具１０と内受具２０を重合して前後方向に伸縮自在に組付けて略長方形伸縮皿状の透光性受具本体１を形成してある。
【００１１】
また、前記底壁１１または底板２１に、その末端部をストッパー部２５として残して前後方向の案内溝２４を形成し、前記底板２１または底壁１１に、前記案内溝２４に侵入位置する突起１４を設けてある。
【００１２】
また、前記前壁１２、側壁１３、後板２２および側板２３を外方に広がる傾斜面とし、前記前壁１２、側壁１３、後板２２および側板２３の任意の面に蓄光物質で形成した蓄光体１２ｃ，１３ｃ，２２ｃを内蔵配置する。さらに、前記受具本体１の底面に、防水シート２ｂの上面に液体吸収シート２ａを固着した吸液シート２を敷設してある。
【００１３】
請求項３に記載の犬猫ペットの糞尿処理具は、請求項１または２に記載の考案において、前壁１２と後板２２に、当該前壁１２と後板２２の外方に延びる取手Ｈを設けてある。
【００１４】
請求項４に記載の犬猫ペットの糞尿処理具は、請求項１，２または３に記載の考案において、少なくとも、側壁１３と側板２３の下端部に、吸液シート２の側端部が侵入位置する保持溝Ｇを形成してある。
【考案の効果】
【００１５】
請求項１に記載の考案は、略皿状の受具本体１を、外受具１０と内受具２０を重合して前後方向に伸縮自在に組付けて構成したので、必要に応じて伸縮させてサイズを調整することにより、大型、中型および小型の室内犬や猫の糞尿を床などに漏らすことなく受けることができる。また、例えば、子犬が成長して成犬になる間、当該糞尿処理具を徐々に伸長しながら使用することができるので、一つの糞尿処理具で対応することができる。
【００１６】
なお、受具本体１の伸縮は、突起１４と案内溝２４によってガイドされ、突起１４がストッパー部２５に当接することによってそれ以上の伸長が阻止される。
【００１７】
また、犬猫の糞尿は、吸液シート２の液体吸収シート２ａが吸収し、かつ、防水シート２ｂによって吸収した糞尿が漏れ出るのを防止する。さらに、汚れた吸液シート２を新たなものと交換することで糞尿を処理することができるので、衛生的であり、処理作業も容易である。
【００１８】
請求項２に記載の考案は、請求項１に記載の考案と同様に、あらゆる大きさの犬や猫の糞尿を処理することができると共に、衛生的で、処理作業も容易である。
【００１９】
また、前壁１２、側壁１３、後板２２および側板２３を外方に広がる傾斜面とし、それらの内の任意の面に蓄光物質で形成した蓄光体１２ｃ，１３ｃ，２２ｃを内蔵配置したので、室内犬や猫は、真っ暗闇の中でも正確に吸液シート２の上に排泄することができる。なお、蓄光体１２ｃ，１３ｃ，２２ｃを傾斜面に配置したので、目線が低い（１５ｍｍ程度）子犬や子猫にも、当該蓄光体１２ｃ，１３ｃ，２２ｃを容易に視認させることができる。
【００２０】
なお、蓄光体１２ｃ，１３ｃ，２２ｃを形成する蓄光物質とは、明るいとき吸収した光を、暗くなると発光する物質を言い、原料は鉱石で、製品状態では液状、粉状あるいは粒状を成す。
【００２１】
請求項３に記載の考案は、前壁１２と後板２２に取手Ｈを設けたので、手を汚すことなく、受具本体１を伸縮させることができる。すなわち、前壁１２、側壁１３、後板２２および側板２３は、糞尿によって汚れる場合が多く、その場合、前壁１２などを持って受具本体１を伸縮すると手が汚れてしまうが、取手Ｈは前壁１２および後板２２の外方に延びるように設けているので、糞尿によって汚れない。従って、当該取手Ｈを持って受具本体１を伸縮させても手を汚すことがない。
【００２２】
請求項４に記載の考案は、少なくとも、側壁１３と側板２３の下端部に、吸液シート２の側端部が侵入位置する保持溝Ｇを形成したので、当該保持溝Ｇによって吸液シート２の少なくとも両側端部を軽く保持することができる。従って、犬や猫が吸液シート２の上で動いても、当該吸液シート２はずれたり捲れたりせず、常に正しい位置に静止させることができる。
【００２３】
なお、請求項１乃至４に記載の考案は、上記した効果の他に、受具本体１を伸縮させることができるので、搬送時は、伸長時のほぼ半分に収縮させることができ、当該搬送を容易に行うことができるといった利点がある。
【考案を実施するための最良の形態】
【００２４】
本考案に係る犬猫ペットの糞尿処理具の実施形態を、図１乃至図５に示す。この糞尿処理具は、受具本体１と吸液シート２とで構成される。受具本体１は、ほぼ正方形である底壁１１の前端部に前壁１２を立設すると共に、両側端部に側壁１３を立設した外受具１０と、同じくほぼ正方形で、かつほぼ同じ大きさの底板２１の後端部に後板２２を立設すると共に、両側端部に側板２３を立設した内受具２０とを具備する。
【００２５】
そして、外受具１０と内受具２０を、前者を外側（下側）にして重合し、前後方向に伸縮自在に組付けて略皿状としている。この組付けの手段は限定されないが、本実施形態では、外受具１０の側壁１３の上端部に、内方に突出する止め部１５を設け、その止め部１５の下面に、内受具２０の側板２３の上端面を当接させて行っている。なお、本実施形態では、外受具１０と内受具２０を伸長した状態における前後方向の長さは６００ｍｍとし、収縮した状態では３００ｍｍに設定している。また、左右の幅は約４５０ｍｍとしている。前壁１２、側壁１３、後板２２および側板２３の高さは、２０ｍｍ〜４０ｍｍとすることができる。この大きさは限定されない。
【００２６】
また、この受具本体１は、内受具２０の底板２１の下面に、その末端部（外受具１０側）をストッパー部２５として残して前後方向の案内溝２４を形成し、外受具１０の底壁１１に、案内溝２４に侵入位置する突起１４を立設している。なお、これに代えて、内受具２０の底板２１の下面から突起１４を垂下設し、外受具１０の底壁１１の上面に案内溝２４を設けても良い。また、この突起１４と案内溝２４の数や形成位置は、限定されない。
【００２７】
さらに、本実施形態では、前壁１２、側壁１３、後板２２および側板２３を外方に広がる傾斜面とし、その内の前壁１２、後板２２および側板２３の面に蓄光物質で形成した蓄光体１２ｃ，１３ｃ，２２ｃを内蔵配置している。
【００２８】
そして、受具本体１の底面に、防水シート２ｂの上面に液体吸収シート２ａを固着した吸液シート２を敷設している。
【００２９】
なお、本実施形態では、側壁１３と側板２３の下端部に、吸液シート２の側端部が侵入位置する保持溝Ｇを形成している。この保持溝Ｇは、前壁１２や後板２２にも形成することができる。さらに、前壁１２と後板２２に、当該前壁１２と後板２２の外側上方に延びる取手Ｈを突設している。
【００３０】
本実施形態に係る犬猫ペットの糞尿処理具は、略皿状の受具本体１を、外受具１０と内受具２０を重合して前後方向に伸縮自在に組付けて構成しているので、必要に応じて伸縮させてサイズを調整し、大型、中型および小型のあらゆる大きさの室内犬や猫の糞尿を床などに漏らすことなく受けることができる。また、例えば、子犬が成長して成犬になる間中、当該糞尿処理具を徐々に伸長しながら使用することができるので、サイズの異なる他種類の処理具を揃える必要がなく、一つの糞尿処理具で対応することができる。
【００３１】
なお、この受具本体１の伸縮は、突起１４を案内溝２４に侵入位置させることによってガイドし、突起１４をストッパー部２５に当接させることによってそれ以上の伸長を阻止している。
【００３２】
また、犬猫の糞尿は、吸液シート２の液体吸収シート２ａで吸収し、かつ、防水シート２ｂで吸収した糞尿の漏出を防止し、汚れた吸液シート２を新たなものと交換することで糞尿を処理するので、衛生的であり、処理作業も容易である。
【００３３】
また、前壁１２、側壁１３、後板２２および側板２３を透光性の物質で作り、前壁１２・両側壁１３・後板２３の外面に透光性の膨出条１２ａ・１３ａ・２３ａを一体に設け、各膨出条１２ａ・１３ａ・２３ａに前壁１２・両側壁１３・後板２３の外面と平行に透孔１２ｂ・１３ｂ・２３ｂを設け、各透孔１２ｂ・１３ｂ・２３ｂに棒状蓄光体１２ｃ・１３ｃ・２２ｃを挿通支承させれば、前壁１２、側壁１３および後板２２の内面が夜間光り、室内犬や猫は、真っ暗闇の中でも正確な場所（吸液シート２の上）に排泄することができる。なお、蓄光体１２ｃ，１３ｃ，２２ｃを傾斜面に配置したので、目線が低い子犬や子猫にも、当該蓄光体１２ｃ，１３ｃ，２２ｃを容易に視認させることができる。
【００３４】
また、本実施形態では、前壁１２と後板２２に、それらの外方に延びる取手Ｈを設けているので、手を汚すことなく、受具本体１を伸縮させることができる。
【００３５】
さらに、側壁１３と側板２３の下端部に、吸液シート２の側端部が侵入位置する保持溝Ｇを形成したので、当該保持溝Ｇによって吸液シート２の両側端部を軽く保持し、これによって、犬や猫が吸液シート２の上で動いても、当該吸液シート２がずれたり捲れたりしない。従って、吸液シート２を、常に正しい位置に載置しておくことができる。
【００３６】
また、この糞尿処理具は、受具本体１を自在に伸縮させることができるので、搬送時は収縮させて、当該搬送を容易なものとすることができる。なお、当該糞尿処理具に鮮やかな色彩を付して装飾性を現出させることはできるが、犬や猫は色盲であるため、必ずしも必要ではない。
【図面の簡単な説明】
【００３７】
【図１】本考案に係る犬猫ペットの糞尿処理具の実施形態を示す平面図である。
【図２】図１のＡ−Ａ線拡大断面図である。
【図３】図１のＢ−Ｂ線拡大断面図である。
【図４】図１のＣ−Ｃ線拡大断面図である。
【図５】図１のＤ−Ｄ線断面図である。
【符号の説明】
【００３８】
１        受具本体
２        吸液シート
２ａ      液体吸収シート
２ｂ      防水シート
１０      外受具
１１      底壁
１２      前壁
１２ａ    膨出突条
１２ｂ    支持孔
１２ｃ    棒状蓄光体
１３      側壁
１３ａ    膨出突条
１３ｂ    支持孔
１３ｃ    棒状蓄光体
１４      突起
１５      止め部
２０      内受具
２１      底板
２２      後板
２２ａ    膨出突条
２２ｂ    支持孔
２２ｃ    棒状蓄光体
２３      側板
２４      案内溝
２５      ストッパー部
Ｈ        取手
Ｇ        保持溝
【図１】
0003116220.tif 000003
【図２】
0003116220.tif 000004
【図３】
0003116220.tif 000005
【図４】
0003116220.tif 000006
【図５】
0003116220.tif 000007